(57)【要約】【課題】開閉時の操作性及び開閉操作を繰り返したときの耐久性の向上を図る。【解決手段】収容部１２の側面部１２ｂに、ハート形をなす誘導溝１６を設けると共に、蓋体１３の突出片１３ｂと上記誘導溝１６との間にピン１７を取着し、蓋体１３の開閉動作に応じてこのピン１７の先端部１７ｂが上記誘導溝１６に沿って移動するようにしている。またそれと共に、蓋体１３と収容部１２との間にぜんまいバネ１５を配置し、このぜんまいバネ１５により蓋体１３に対し当該蓋体１５が開く方向に常に付勢力を与えるようにしたものである。【選択図】      図９
2005261051.tif 000002
【特許請求の範囲】
【請求項１】
筐体とこの筐体の開口部に開閉自在に取着される蓋体とを備える構造体に設けられる開閉機構において、
前記筐体又は前記蓋体のいずれか一方に設けられる誘導溝と、
基端部が前記筐体又は前記蓋体のいずれか他方に回動自在に取着されると共に先端部が前記誘導溝に係合し、前記蓋体の開閉動作に応じて先端部が前記誘導溝に案内されて移動することにより前記蓋体の開閉動作を補助する可動部材と
を具備することを特徴とする開閉機構。
【請求項２】
前記誘導溝は、少なくとも２個の停止部を備え、これらの停止部により前記可動部材の先端部を停止保持することによりそれぞれ前記蓋体の閉状態及び開状態の位置決めを行うことを特徴とする請求項１記載の開閉機構。
【請求項３】
前記誘導溝は、４つの角部を有するハート形をなし、各角部に前記可動部材の先端部の移動方向を規制する戻り防止部を備えることを特徴とする請求項１又は２記載の開閉機構。
【請求項４】
前記筐体と前記蓋体との間に介在設置され、前記蓋体を開方向に常に付勢する弾性部材を、さらに具備することを特徴とする請求項２又は３に記載の開閉機構。
【請求項５】
ケーブルの自由端に接続されたコネクタ端子を収容するアウトレット筐体と、
このアウトレット筐体の開口部に開閉自在に取着される蓋体と、
前記アウトレット筐体又は前記蓋体のいずれか一方に設けられた誘導溝と、
基端部が前記アウトレット筐体又は前記蓋体のいずれか他方に回動自在に取着されると共に先端部が前記誘導溝に係合し、前記蓋体の開閉動作に応じて先端部が前記誘導溝に案内されて移動することにより前記蓋体の開閉動作を補助する可動部材と
を具備することを特徴とするアウトレット。
【請求項６】
前記誘導溝は、少なくとも２つの停止部を備え、これらの停止部により前記可動部材の先端部を停止させることにより、前記蓋体の閉状態及び開状態の位置をそれぞれ規定することを特徴とする請求項５記載のアウトレット。
【請求項７】
前記誘導溝は、４つの角部を有するハート形をなし、各角部に前記可動部材の移動方向を規制する戻り防止部を備えることを特徴とする請求項５又は６記載のアウトレット。
【請求項８】
前記アウトレット筐体と前記蓋体との間に介在設置され、前記蓋体を開方向に付勢する弾性部材を、さらに具備することを特徴とする請求項５乃至７のいずれかに記載のアウトレット。
【請求項９】
前記コネクタ端子は、前記蓋体の裏面に固定されることを特徴とする請求項５記載のアウトレット。
【発明の詳細な説明】
【技術分野】
【０００１】
この発明は、筐体と蓋体とを備える構造体において蓋体を開閉させるために設けられる開閉機構と、この開閉機構を備えたアウトレットの改良に関する。
【背景技術】
【０００２】
一般に、オフィスや住宅等においては、屋外から屋内に引き込んだ光ファイバ等の通信ケーブルを壁内部を通して屋内の所要箇所に導き、この所要箇所において上記通信ケーブルをアウトレットから引き出すか、或いはアウトレットに設けたコネクタ端子に接続する。そして、上記アウトレットから引き出された通信ケーブルの端子を情報通信機器に接続するか、或いは情報通信機器の接続ケーブルを上記アウトレットのコネクタ端子に接続するようにしている（例えば、特許文献１を参照。）。
【０００３】
【特許文献１】特開２０００−３９５２６号公報
【発明の開示】
【発明が解決しようとする課題】
【０００４】
ところで、一般にアウトレットは防塵対策のためシャッタを備えている。そして、通信ケーブルを情報通信機器に接続しないときには、シャッタを閉じることで通信ケーブルのコネクタ端子が露出しないようにしている。しかし従来の開閉構造は、ユーザが自身の爪を使用してシャッタを開閉操作するものや、シャッタの開閉状態を単純な係止構造により固定するものが多い。このため、開閉時の操作性や開閉操作を繰り返したときの耐久性に難点がある。
【０００５】
この発明は上記事情に着目してなされたもので、その目的とするところは、開閉時の操作性及び開閉操作を繰り返したときの耐久性の向上を図った開閉機構と、この開閉機構を使用したアウトレットを提供することにある。
【課題を解決するための手段】
【０００６】
上記目的を達成するためにこの発明に係わる開閉機構は、筐体とこの筐体の開口部に開閉自在に取着される蓋体とを備える構造体に設けられる開閉機構にあって、上記筐体又は蓋体のいずれか一方に誘導溝を設けると共に、上記筐体又は蓋体のいずれか他方に可動部材の基端部を回動自在に取着する。そして、上記可動部材の先端部を上記誘導溝に係合させ、蓋体の開閉動作に応じて上記可動部材の先端部を上記誘導溝に沿って移動させることにより、上記蓋体の開閉動作を補助するように構成したものである。
【０００７】
したがってこの発明によれば、蓋体の開閉は、可動部材の先端部が誘導溝に沿って移動する動作により補助されるため、蓋体を筐体に蝶着するだけの構造に比べて円滑に行うことが可能となる。また、単純な係合構造のみを使用する場合に比べ、開閉操作を繰り返した場合の耐久性を高めることができる。
【０００８】
また、上記発明は次のような具体的構成を備えることも特徴とする。  
第１の構成は、誘導溝に少なくとも２個の停止部を設け、これらの停止部により可動部材の先端部を停止保持することにより蓋体の閉状態及び開状態の位置決めをそれぞれ行うものである。このように構成すると、蓋体の閉位置及び開位置を安定的に決定することができる。
【０００９】
第２の構成は、誘導溝を４つの角部を有するハート形に形成し、各角部に可動部材の先端部の移動方向を規制する戻り防止部を備えるものである。このように構成すると、可動部材の先端部は、各角部において逆方向への移動が規制されつつ、ハート形をなす誘導溝に沿って周回移動する。このため、より円滑な開閉動作が実現できる。
【００１０】
第３の構成は、筐体と蓋体との間に弾性部材を介在設置し、この弾性部材により蓋体を開方向に常時付勢するようにしたものである。このように構成すると、上記誘導溝と可動部材との係合移動と相俟って、蓋体の開閉動作をさらに簡単かつ安定に行うことが可能となる。
【００１１】
一方、この発明に係わるアウトレットは、コネクタ端子を収容するアウトレット筐体と、このアウトレット筐体の開口部に開閉自在に取着される蓋体とを備える場合に、上記アウトレット筐体又は蓋体のいずれか一方に誘導溝を設けると共に、上記アウトレット筐体又は蓋体のいずれか他方に可動部材の基端部を回動自在に取着する。そして、上記可動部材の先端部を上記誘導溝に係合させ、蓋体の開閉動作に応じて上記可動部材の先端部を上記誘導溝に沿って移動させることにより、上記蓋体の開閉動作を補助するように構成したものである。
【００１２】
したがってこの発明によれば、アウトレットの蓋体の開閉は、可動部材の先端部が誘導溝に沿って移動する動作により補助されるため、蓋体をアウトレット筐体に蝶着するだけの構造に比べ円滑に行うことが可能となる。また、単純な係合構造のみを使用する場合に比べ、開閉操作を繰り返した場合の耐久性を高めることができる。
【００１３】
この発明においても、以下のような具体的構成が考えられる。  
第１の構成は、誘導溝に少なくとも２個の停止部を設け、これらの停止部により可動部材の先端部を停止保持することにより蓋体の閉状態及び開状態の位置決めをそれぞれ行うものである。このように構成すると、アウトレットの蓋体の閉位置及び開位置を安定的に決定することができる。
【００１４】
第２の構成は、誘導溝を４つの角部を有するハート形に形成し、各角部に可動部材の先端部の移動方向を規制する戻り防止部を備えるものである。このように構成すると、可動部材の先端部は、角部ごとに逆方向への移動が規制されつつ、ハート形をなす誘導溝に沿って周回移動する。このため、アウトレットの蓋体をより円滑に開閉動作させることが可能となる。
【００１５】
第３の構成は、アウトレット筐体と蓋体との間に弾性部材を介在設置し、この弾性部材により蓋体を開方向に常時付勢するようにしたものである。このように構成すると、上記誘導溝と可動部材との係合移動と相俟って、アウトレットの蓋体の開閉動作をさらに簡単かつ安定に行うことが可能となり、操作性及び動作安定性のより一層優れたアウトレットを提供できる。
【００１６】
第４の構成は、コネクタ端子を蓋体の裏面に固定するようにしたものである。このように構成すると、蓋体の開口角度を大きくすることなく、コネクタ端子へのケーブルの接続を行うことができる。
【発明の効果】
【００１７】
要するにこの発明では、筐体とこの筐体の開口部に開閉自在に取着される蓋体とを備える構造体に設けられる開閉機構にあって、上記筐体又は蓋体のいずれか一方に誘導溝を設けると共に、上記筐体又は蓋体のいずれか他方に可動部材の基端部を回動自在に取着する。そして、上記可動部材の先端部を上記誘導溝に係合させ、蓋体の開閉動作に応じて上記可動部材の先端部を上記誘導溝に沿って移動させることにより、上記蓋体の開閉動作を補助するように構成している。  
したがってこの発明によれば、開閉時の操作性及び開閉操作を繰り返したときの耐久性の向上を図った開閉機構と、この開閉機構を使用するアウトレットを提供することができる。
【発明を実施するための最良の形態】
【００１８】
図１は、この発明に係わる開閉機構を備えたアウトレットの一実施形態を示す分解斜視図であり、１はアウトレット本体を示している。アウトレット本体１は、基板１１の中央部に窓を設け、この窓の背面側及び前面側にそれぞれ収容部１２及び蓋体１３を設けたものである。収容部１２は、家屋の壁面内を通して引き込まれた通信ケーブル（図示せず）と、その終端に取着されるコネクタ端子を収容する。蓋体１３は、上記収容部１２に対し開閉可能に取着される。上記アウトレット本体１は、ＪＩＳ規格により定められたスイッチボックス２内に収容され、さらに前面周縁部にはフェースプレート３が取着される。図２は、上記アウトレットの組み立て後の構成を示す斜視図である。
【００１９】
ところで、上記蓋体１３の開閉機構は次のように構成される。図３及び図５はその構成を示す斜視図である。すなわち、蓋体１３の上部両側部には突出片１３ａ，１３ｂが形成されており、これらの突出片１３ａ，１３ｂは基板１１に回動可能に取着される。また、上記蓋体１３の一方の突出片１３ａには突起１４が設けられており、この突起１４にはぜんまいバネ１５が取着されている。このぜんまいバネ１５は、その一端が収容部１２の内側面に設けられたストッパ１８に当接し、他端が蓋体１３の裏面に当接する。そして、バネの復元力により蓋体１３に対し当該蓋体１３が開く方向に常に付勢力を与える。図４は、ぜんまいバネ１５の構成とその動作を拡大して示した図である。
【００２０】
一方、上記収容部１２の他方側の側面部１２ｂには、誘導溝１６が設けられている。誘導溝１６は、図７に示すように花びらの形状に近いハート形をなし、４個の角部を備えている。これらの角部間の溝１６ａ１〜１６ａ４はそれぞれ図８に示すように底が徐々に高くなるように形成されており、その終点となる角部１６ｂ１〜１６ｂ４においてそれぞれ段差が形成されている。これらの段差は後述するピン１７の位置を保持するための戻り防止部として機能する。
【００２１】
また、上記蓋体１３の他方側の突出片１３ｂと上記誘導溝１６との間には、可動部材としてのピン１７が取り付けられている。このピン１７は、例えば図６に示すように両端部をコ字型に折曲形成したもので、その一方の端部（基端部）１７ａが上記突出片１３ｂに回動自在に取着され、他方の端部（先端部）１７ｂが上記誘導溝１６に移動自在に係合している。
【００２２】
次に、以上のように構成された開閉機構の動作を説明する。図９はその開閉動作を示す状態遷移図である。  
先ず、図９（ａ）に示すように蓋体１３を閉じた状態では、ピン１７の先端部１７ｂが図７の（１）に示すように誘導溝１６のく形に形成された最奥の角部１６ｂ１に位置する。また、この状態で蓋体１３には、その開方向、つまり図７の（５）に示す方向にぜんまいバネ１５により付勢力が常時与えられている。このため、蓋体１３は閉状態のまま安定に保持される。
【００２３】
さて、この状態でユーザが図９（ｂ）に示すように蓋体１３を一旦押し込んだとする。そうすると、ピン１７の先端部１７ｂが図７の（１）→（２）に示すように誘導溝１６の第１の溝１６ａ１に沿って第２の角部１６ｂ２へ移動する。そして、ユーザが蓋体１３に加えている押し込み力を緩めるか或いは蓋体１３から手を離すと、ピン１７の先端部１７ｂが図７の（２）→（３）に示すように誘導溝１６の第２の溝１６ａ２に沿って第３の角部１６ｂ３へ移動する。この第３の角部１６ｂ３は、図示するようにく形に形成されており、かつ蓋体１３には図３（ｂ）のようにその開方向にぜんまいバネ１５の付勢力が与えられている。このため、ピン１７の先端部１７ｂはこの第３の角部１６ｂ３において停止し、この結果蓋体１３は図９（ｃ）に示すように開状態のまま安定に保持される。
【００２４】
この状態でユーザは、収容部１２内に収容されたコネクタ端子１９に情報通信機器の接続ケーブルを接続する。このとき、コネクタ端子１９は図９に示すように蓋体１３の裏面に固定されている。このため、蓋体１３の開口角度を大きくしなくても、上記接続ケーブルの接続を比較的簡単に行うことができる。
【００２５】
一方、蓋体１３の閉成は次のように行われる。すなわち、ユーザは先ず情報通信機器の接続ケーブルをコネクタ端子１９から取り外す。そして、蓋体１３を図９（ｄ）に示すように押し込む。そうすると、ピン１７の先端部１７ｂが図７の（３）→（４）に示すように誘導溝１６の第３の溝１６ａ３に沿って第４の角部１６ｂ４へ移動する。そして、ピン１７の先端部１７ｂがこの第４の角部１６ｂ４に達したのち、押し込み力を緩めるかまたは手を離すと、ピン１７の先端部１７ｂは図７の（４）→（１）に示すように誘導溝１６の第４の溝１６ａ４に沿って第１の角部１６ｂ１へ移動する。この第１の角部１６ｂ１は、先に述べたようにく形に形成されており、かつ蓋体１３には図３（ｂ）のようにその開方向にぜんまいバネ１５の付勢力が与えられている。このため、ピン１７の先端部１７ｂはこの第１の角部１６ｂ１において停止し、この結果蓋体１３は図９（ａ）に示すように開状態のまま安定に保持される。
【００２６】
なお、上記誘導溝１６の各角部１６ｂ１〜１６ｂ４にはそれぞれ図８に示したように段差が形成され、これらの段差が戻り防止部として機能する。このため、各角部１６ｂ１〜１６ｂ４においてピン１７の先端部１７ｂが逆戻りする心配はなく、これにより上記誘導溝１６におけるピン１７の先端部１７ｂの移動動作は円滑かつ確実に行われる。すなわち、蓋体１３の開閉動作は円滑かつ確実に行われる。
【００２７】
以上述べたようにこの実施形態では、収容部１２の側面部１２ｂに、ハート形をなす誘導溝１６を設けると共に、蓋体１３の突出片１３ｂと上記誘導溝１６との間にピン１７を取着し、蓋体１３の開閉動作に応じてこのピン１７の先端部１７ｂが上記誘導溝１６に沿って移動するようにしている。またそれと共に、蓋体１３と収容部１２との間にぜんまいバネ１５を配置し、このぜんまいバネ１５により蓋体１３に対し当該蓋体１５が開く方向に常に付勢力を与えるようにしている。
【００２８】
したがってこの実施形態によれば、蓋体１３の開閉動作は、ピン１７の先端部１７ｂが誘導溝１６に沿って移動する動作により補助される。このため、蓋体１３を基板１１に蝶着するだけの構造に比べ、蓋体１３の開閉を円滑かつ確実に行うことができ、また蓋体１３の開閉操作を繰り返した場合でも開閉機構の耐久性を高く保持することができる。
【００２９】
さらに、誘導溝１６の各角部１６ｂ１〜１６ｂ４にはそれぞれ段差が形成され、これらの段差が戻り防止部として機能する。このため、各角部１６ｂ１〜１６ｂ４においてピン１７の先端部１７ｂが逆戻りする心配はなく、これにより上記誘導溝１６におけるピン１７の先端部１７ｂの移動動作、延いては蓋体１３の開閉動作を円滑かつ確実に行うことができる。
【００３０】
なお、この発明は上記実施形態に限定されるものではない。例えば、誘導溝の形状はハート形以外にＩ形やクランク形等その他の形状を採用することもできる。要するに、蓋体の閉状態及び開状態の位置決めを行うための停止部を備えるものであれば、如何なる形状に設定してもよい。また、可動部材としてはピン以外に板状片等を使用することができる。
【００３１】
さらに、誘導溝及び可動部材の少なくとも一方を例えば樹脂等の摩擦の少ない部材により構成するか、或いは樹脂加工等により表面処理して摩擦を低減するようにしてもよい。このようにすると、誘導溝における可動部材の移動動作、延いては蓋体の開閉動作をより一層円滑かつ確実に行うことが可能となる。
【００３２】
さらに、前記実施形態ではこの発明に係わる開閉機構を通信用のアウトレットに適用した場合を例にとって説明したが、配電盤やコンセント等の電力用のアウトレットにも適用できる。すなわち、蓋を有する構造物であれば如何なるものに適用することができる。その他、誘導溝、可動部材及び弾性部材の構成とその設置場所や大きさ、形状、材質などについても、この発明の要旨を逸脱しない範囲で種々変形して実施できる。
【００３３】
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００３４】
【図１】この発明に係わる開閉機構を備えたアウトレットの一実施形態を示す分解斜視図。
【図２】図１に示したアウトレットの組み立て後の構成を示す斜視図。
【図３】図１に示した開閉機構の要部の一つであるバネ機構の構成を示す斜視図。
【図４】図３に示すバネ機構で使用されるぜんまいバネの構成を示す図。
【図５】図１に示した開閉機構の要部の一つである誘導溝とピンの構成を示す斜視図。
【図６】図５に示すピンの構成を示す斜視図。
【図７】図５に示した誘導溝に対するピンの移動動作を説明するための図。
【図８】図５に示した誘導溝の断面構造を示す側面図。
【図９】図１に示したアウトレットにおける蓋体の開閉動作を説明するための状態遷移図。
【符号の説明】
【００３５】
１…アウトレット本体、２…スイッチボックス、３…フェースプレート、１１…基板、１２…収容部、１２ａ，１２ｂ…収容部の側面部、１３…蓋体、１３ａ，１３ｂ…蓋体の突出片、１４…突起、１５…ぜんまいバネ、１６…誘導溝、１７…ピン、１７ａ…ピンの基端部、１７ｂ…ピンの先端部、１８…ストッパ、１９…コネクタ端子、１６ａ１〜１６ａ４…溝、１６ｂ１〜１６ｂ４…誘導溝の角部。
【図１】
2005261051.tif 000003
【図２】
2005261051.tif 000004
【図３】
2005261051.tif 000005
【図４】
2005261051.tif 000006
【図５】
2005261051.tif 000007
【図６】
2005261051.tif 000008
【図７】
2005261051.tif 000009
【図８】
2005261051.tif 000010
【図９】
2005261051.tif 000011